(57)【要約】【課題】  お好みの消火器の注文がパソコンにより簡単かつ素早く注文できる消火器のホームページ受注システムを得る。【解決手段】  受注側１が開設するホームページに注文側２がアクセスすることにより、注文側２がインターネット上で，自分でデザインする銘板４を貼り付けたお好みの消火器３の注文ができるようにしてなる。【選択図】    図１
2005071132.tif 000002
【特許請求の範囲】
【請求項１】
消火器を受注する側（以下「受注側」という）がインターネット上にホームページを開設して「消火器の受注ページ」を用意し、消火器を注文する側（以下「注文側」という）がこのホームページにアクセスして前記「消火器の受注ページ」を開くというインターネットを利用する消火器のホームページ受注システムであって、
イ．注文側は、前記消火器の受注ページ上で、（ベースとなる）消火器及びこれに貼り付ける（自分でデザインする）銘板の形状を選択する、
ロ．受注側は、前記選択された銘板の雛型ファイルを用意する、
ハ．注文側は、前記選択した銘板の雛型ファイルをダウンロードし、この雛型ファイルを使って銘板を自作（自分でデザインする）してアップロードする、
ニ．受注側は、前記自作された銘板の大きさ・色が規定のルールにしたがっているかを判定し、その判定が「ＮＯ」の場合には「銘板の修正画面」，「ＹＥＳ」の場合には「基本事項の入力画面」をそれぞれ注文側に表示する、
ホ．注文側は、「基本事項の入力画面」が表示されたときには入力して注文するが、「銘板の修正画面」が表示されたときには、再び銘板を修正してアップロードし、「基本事項の入力画面」の表示があるまで繰り返す、
ヘ．受注側は、注文の入力により受注を確認し、「受注確認画面」を注文側に表示する、
ことを特徴とする消火器のホームページ受注システム。
【発明の詳細な説明】
【技術分野】
【０００１】
本発明は、注文側がホームページにアクセスしてインターネット上で，自分でデザインする銘板を貼り付けたお好みの消火器の注文ができる消火器のホームページ受注システムに関するものである。
【背景技術】
【０００２】
従来においても、自分でデザインする銘板を貼り付けたお好みの消火器を作ることは、一般的に行われている。
かかるお好みの消火器を作る場合には、次のような手順により行っている。
（１）消火器の製造メーカーに出向いて、（ベースとなる）消火器及びこれに貼り付ける（自分でデザインする）銘板の形状を選んだ後、この銘板の雛型を持ち帰り、雛型に自作（自分でデザインする）する、
（２）自作した銘板（雛型）を、再び製造メーカーに持ち込み、自作銘板の大きさ・色が規定のルール（大きさとは仕上がり寸法のこと、色とは消火器によっては赤色の占める割合が消防法で２５％以上と規定されていることなど）にしたがっているかを判定してもらい、「合格」するまで打ち合わせる。
（３）「合格」したところで、注文が成立する。
【発明の開示】
【発明が解決しようとする課題】
【０００３】
解決しようとする問題は、お好みの消火器を作るときには前記したように銘板の大きさ・色の判定という大きな問題があるので、製造メーカーに出向いて判定を得なければならず、その注文に時間と手間が掛かるという点である。
【課題を解決するための手段】
【０００４】
本発明は、受注側が開設するホームページに注文側がアクセスすることにより、注文側がインターネット上で，自分でデザインする銘板を貼り付けたお好みの消火器の注文ができるようにしたことを特徴とする。
【発明の効果】
【０００５】
本発明は、注文側がホームページにアクセスしてインターネット上で，自分でデザインする銘板を貼り付けたお好みの消火器の注文ができることにより、お好みの消火器の注文がパソコンにより簡単かつ素早く注文できるという効果がある。
【発明を実施するための最良の形態】
【０００６】
受注側が開設するホームページに注文側がアクセスして、インターネット上で消火器の受注ページを開き、この消火器の受注ページ上で（自分でデザインする）銘板の大きさ・色が規定のルールにしたがっているかを判定できるようにして実現した。
【実施例】
【０００７】
図１は本発明システムの全体の流れを説明するための図、図２は消火器を示す概略図であり、各図中１は消火器を受注する製造メーカーなどの受注側、２は消火器を注文する購入者などの注文側、３は消火器、４は消火器の銘板である。
【０００８】
次に、本発明の消火器のホームページ受注システムを図１，図２を用いて説明する。
（１）受注側１が、インターネット上にホームページを開設して「消火器の受注ページ」を用意する。
（２）注文側２が、受注側１のホームページにアクセスして前記「消火器の受注ページ」を開く。
（３）注文側２は、開いた「消火器の受注ページ（例えば、消火器３の写真・型式・大きさ・重さ・薬剤重量及び銘板４の形状さらには各単価などが表示される）」上で、（ベースとなる）消火器３及びこれに貼り付ける（自分でデザインする）銘板４の形状（例えば、図示の如く角形とか丸形など）を選択する。
（４）受注側１は、前記選択された銘板４の雛型ファイル（例えば、使用できる色やプレートの大きさなどが指示されている）を用意する。
（５）注文側２は、前記選択した銘板４の雛型ファイルをダウンロードし、この雛型ファイルを使って銘板４を自作（例えば、指定された色を用いて絵柄を描くなどして、自分でデザインする）してアップロードする。
【０００９】
（６）受注側１は、前記自作された銘板４の大きさ・色が規定のルールにしたがっているかを判定する。
つまり、アップロードされた銘板４（自作された）がプレートに合ったサイズ又は銘板４を含む消火器全体からみた赤色の占める割合が消防法の諸規定で規定されている２５％以上であるかをホームページのサーバーで判断する。また、指定された色で製作されているかも確認する。
例えば、銘板４の大きさが一回り大きなサイズの場合には、「サイズが違います」とホームページ上に表示する。また、色が指定された色と異なる場合には、「色が指定された色ではありません」とホームページ上に表示する。
（７）判定が「ＮＯ」の場合には「銘板の修正画面（例えば、赤色の割合が不足するとか，指定色でないとか，サイズが大きいとか）」が表示されるので、注文側２は指示にしたがって修正した後、この修正画面のファイルをアップロードする。
（８）受注側１は、この修正画面を再度判定する。
【００１０】
（９）上記（６），（８）において、判定が「ＹＥＳ」の場合には「基本事項の入力画面」が表示されるので、注文側２は基本事項（例えば、氏名，住所，電話番号，メールアドレス及び数量など）を入力して、注文する。
なお、上記（８）において、再び判定が「ＮＯ」の場合には判定が「ＹＥＳ」になるまで上記（７），（８）を繰り返す。
（１０）受注側１は、注文の入力により受注を確認し、注文側２に「受注確認画面（例えば、支払金額，支払先及び納期など）」を表示する。
（１１）注文側２は、「受注確認画面」により注文を確認して、終了する。
【００１１】
こうしてホームページの消火器の受注ページ上で、注文側２が自作（自分でデザインする）した銘板４の大きさ・色が規定のルールにしたがっているかを判定できるので、注文側２はインターネット上で、自分でデザインする銘板４を貼り付けたお好みの消火器３の注文ができるようになる。
【産業上の利用可能性】
【００１２】
本発明は、お好みの消火器を注文するときに広く活用できる。
【図面の簡単な説明】
【００１３】
【図１】本発明システムの全体の流れを説明するための図である。
【図２】消火器を示す概略図である。
【符号の説明】
【００１４】
１：受注側
２：注文側
３：消火器
４：銘板
【図１】
2005071132.tif 000003
【図２】
2005071132.tif 000004